(57)【要約】【課題】電流路の他の電気部品との電気的接続作業を簡便、且つ効率よく行うことができる電磁接触器を提供する。【解決手段】主接点部６と、補助接点部７，８と、主接点部及び補助接点部を収納する接点収納ケース９と、主接点部の可動軸１４に連結された可動プランジャ１６を可動させる電磁石ユニット５と、接点収納ケースのケース壁１１から外部に突出している主接点電極１７，１８と、補助接点部の一対の固定接点に接続されてケース壁から外部に突出している補助接点電極３０，３１、３８，３９と、補助接点電極に接続された状態でケース壁の一部に配置されている補助接点外部端子部５１とを備えている。【選択図】図１２
2018113141.tif 000002
【特許請求の範囲】
【請求項１】
主接点部と、
この主接点部と連動した補助接点部と、
前記主接点部及び前記補助接点部を収納する接点収納ケースと、
前記主接点部及び前記補助接点部を駆動する電磁石ユニットと、
前記補助接点部の一対の固定接点に接続されてケース壁から外部に突出している少なくとも一対の補助接点電極と、
前記補助接点電極に接続され、前記ケース壁に配置されている補助接点外部端子部と、を備えている電磁接触器。
【請求項２】
前記補助接点外部端子部は、前記補助接点電極に固定されている請求項１に記載の電磁接触器。
【請求項３】
前記補助接点外部端子部は、
端子と、前記補助接点電極とを電気的に接続する配線パターンが形成された配線基板とを有する請求項１または２に記載の電磁接触器。
【請求項４】
前記一対の補助接点電極を複数有する請求項３に記載の電磁接触器。
【請求項５】
前記複数対の補助接点電極を電気的に接続する前記配線基板を一枚で構成する請求項４に記載の電磁接触器。
【請求項６】
前記補助接点外部端子部は、二つ以上に分離されている請求項３に記載の電磁接触器。
【請求項７】
前記一対の補助接点電極を複数有し、
前記補助接点外部端子部に固定されない前記補助接点電極は、配線により前記補助接点外部端子部に接続されている請求項２または３に記載の電磁接触器。
【請求項８】
前記補助接点外部端子部は、前記ケースの少なくとも一辺に集約されていることを特徴とする請求項７に記載の電磁接触器。
【請求項９】
前記電磁石ユニットは電磁石ユニット外部端子部をさらに有し、
この電磁石ユニット外部端子部は、前記補助接点外部端子部と同一面上に形成されている請求項６または８に記載の電磁接触器。
【請求項１０】
前記電磁石ユニット外部端子部が、前記補助接点外部端子部と共に前記ケースの少なくとも一辺に集約されていることを特徴とする請求項９に記載の電磁接触器。
【請求項１１】
前記配線の一部を固定する配線固定部を有する請求項７に記載の電磁接触器。
【請求項１２】
前記配線固定部が配線保持部に設けられている請求項１１に記載の電磁接触器。
【請求項１３】
前記配線固定部は前記配線保持部上に設けられる凸状部である請求項１２に記載の電磁接触器。
【請求項１４】
前記凸状部に保持溝が形成されている請求項１３に記載の電磁接触器。
【請求項１５】
前記凸状部はＬ字型である請求項１３に記載の電磁接触器。
【請求項１６】
前記凸状部に貫通穴が形成されている請求項１３に記載の電磁接触器。
【請求項１７】
前記配線保持部の側面に保持溝が形成されている請求項１２に記載の電磁接触器。
【請求項１８】
前記配線保持部の下面に保持溝が形成されている請求項１２に記載の電磁接触器。
【請求項１９】
前記主接点部と前記補助接点外部端子または前記主接点部と前記配線との間に隔壁を有する請求項１または７に記載の電磁接触器。
【請求項２０】
前記隔壁は、前記配線保持部に設けられる請求項１２に記載の電磁接触器。
【請求項２１】
前記配線保持部は、振動吸収用の弾性板で兼用する請求項１２乃至２０のいずれか一項に記載の電磁接触器。
【発明の詳細な説明】
【技術分野】
【０００１】
本発明は、電流路の開閉を行う電磁接触器に関する。
【背景技術】
【０００２】
電流路の開閉を行う電磁接触器として、従来、例えば、特許文献１に記載されたものが知られている。
特許文献１の電磁接触器は、一対の主接点側固定接触子及びこれら一対の主接点側固定接触子に接離可能な主接点側可動接触子を有する主接点機構と、主接点側可動接触子と連動する補助接点機構と、主接点機構の主接点側可動接触子を駆動する電磁石ユニットとを備えている。
特許文献１の電磁接触器は、装置ケースの内部に収納されている電磁石ユニットや補助接点機構のリード線が、装置ケースの一部からを外部に引き出された構造とされている。
【０００３】
この特許文献１の電磁接触器を電流路の他の電気部品に接続するには、リード線に端子台やフェルールなどの接続部品を装着し、他の電気部品のリード線と接続しなければならない。このため、特許文献１の接点装置は、他の電気部品との接続作業に多くの手間と時間を要してしまうという問題がある。
【先行技術文献】
【特許文献】
【０００４】
【特許文献１】米国特許公開第２００８／００８４２６０号明細書
【発明の概要】
【発明が解決しようとする課題】
【０００５】
そこで、本発明は上記事情に鑑みてなされたものであり、電流路の他の電気部品との電気的接続作業を簡便、且つ効率よく行うことができる電磁接触器を提供することを目的としている。
【課題を解決するための手段】
【０００６】
上記目的を達成するために、本発明の一態様に係る電磁接触器は、主接点部と、この主接点部と連動した補助接点部と、主接点部及び補助接点部を収納する接点収納ケースと、主接点部及び補助接点部を駆動する電磁石ユニットと、補助接点部の一対の固定接点に接続されてケース壁から外部に突出している少なくとも一対の補助接点電極と、補助接点電極に接続され、ケース壁に配置されている補助接点外部端子部と、を備えている。
【発明の効果】
【０００７】
本発明に係る電磁接触器によれば、電流路の他の電気部品との電気的接続作業を簡便、且つ効率よく行うことができる。
【図面の簡単な説明】
【０００８】
【図１】本発明に係る第１実施形態の電磁接触器を構成する第１絶縁ケース及び第２絶縁ケースを示す斜視図である。
【図２】第１実施形態において第１絶縁ケース及び第２絶縁ケースの内部に収納されている接点装置及び電磁石ユニットを示す斜視図である。
【図３】第１実施形態の接点装置の内部構造を示す図である。
【図４】図２のIV-IV平面で切断した断面示す図である。
【図５】図２のV-V平面で切断した断面を示す図である。
【図６】図２のVI-VI平面で切断した断面を示す図である。
【図７】図２のVII-VII平面で切断した断面を示す図である。
【図８】第１実施形態の補助接点外部端子部の構成を示す図である。
【図９】第１実施形態の補助接点外部端子部の要部断面を示す図である。
【図１０】第１実施形態の補助接点外部端子部をケース壁に配置した状態を示す斜視図である。
【図１１】図１０の要部を示す断面図である。
【図１２】第１実施形態の補助接点外部端子部を補助接点電極に接続した状態を示す図である。
【図１３】本発明に係る第２実施形態のケース壁に補助接点外部端子部を配置した状態を示す図である。
【図１４】本発明に係る第３実施形態のケース壁に補助接点外部端子部を配置した状態を示す図である。
【図１５】本発明に係る第４実施形態のケース壁に補助接点外部端子部を配置した状態を示す図である。
【図１６】本発明に係る第５実施形態のケース壁に補助接点外部端子部を配置した状態を示す図である。
【図１７】本発明に係る第６実施形態のケース壁に補助接点外部端子部を配置した状態を示す図である。
【図１８】本発明に係る第６実施形態で使用されるリード線保持部を示す図である。
【図１９】本発明に係る第６実施形態の変形例を示す図である。
【図２０】本発明に係る第７実施形態のケース壁に補助接点外部端子部を配置した状態を示す図である。
【図２１】本発明に係る第７実施形態の補助接点外部端子部を構成する配線基板の配線パターンを示す図である。
【図２２】本発明に係る第８実施形態のケース壁に補助接点外部端子部を配置した状態を示す図である。
【図２３】本発明に係る第９実施形態のケース壁に補助接点外部端子部を及び電磁石ユニット外部端子部を配置した状態を示す図である。
【発明を実施するための形態】
【０００９】
次に、図面を参照して、本発明に係る第１から第９実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１から図９実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
〔第１実施形態〕
図１から図１２を参照して第1実施形態の電磁接触器１を説明する。なお、図１、図２、図１及び図１２の上側を「上」、下側を「下」、左側を「左」、右側を「右」、前側を「前」、後ろ側を「後」として説明する。また、図２のIV-IV平面で切断した断面を図４で示し、図２のV-V平面で切断した断面を図５で示し、図２のVI-VI平面で切断した断面を図６で示し、図２のVII-VII平面で切断した断面を図７で示している。
【００１１】
図１に示すように、電磁接触器１は、第１絶縁ケース２及び第２絶縁ケース３を備えている。第１絶縁ケース２の左側及び右側の側面には主接点外部端子部５０ａ，５０ｂが突出した状態で配置され、第１絶縁ケース２の前側に補助接点外部端子部５１が配置され、第２絶縁ケース３の左側の側面に、一対の電磁石ユニット外部端子部５２Ａ、５２Ｂが配置されている。ここで、補助接点外部端子部５１は、後述する一対の第１補助接点外部端子部５１Ａ，５１Ｂと、一対の第２補助接点外部端子部５１Ｃ，５１Ｄとで構成されている。
【００１２】
図２に示すものは、第１絶縁ケース２及び第２絶縁ケース３に収納されている接点装置４と、接点装置４を駆動する電磁石ユニット５とが収納されている。
接点装置４は、図３及び図４に示すように、主接点機構６と、主接点機構６と連動する第１及び第２補助接点機構７，８と、収納ケース９とを備えている。
収納ケース９は、角筒状の金属製の接合部材１０と、接合部材１０の上端部に接合されて接合部材７の上側を閉塞するセラミック製の頂板１１と、接合部材１０の下端部にその上面がシール接合される平板状の磁気ヨーク１２と、磁気ヨーク１２の下面にシール接合される円筒状の金属製のキャップ１３とからなる。
【００１３】
収納ケース９の内部には、主接点機構６、第１及び第２補助接点機構７，８、電磁石ユニット５の連結軸１４、固定鉄心１５及び可動プランジャ１６が密封状態で収容されるとともに、アーク消弧用のガスが封入されている。
主接点機構６は、図４に示すように、頂板１１に固定された一対の主接点側固定接触子１７、１８と、これら一対の主接点側固定接触子１７，１８に接離可能な主接点側可動接触子１９とを備えている。主接点側固定接触子１７，１８は、導電性金属材料で形成されて収納ケース９の頂板１１に左右方向に所定間隔を離して固定される。主接点側固定接触子１７，１８の下端面には接点１７ａ，１８ａが形成されている。
【００１４】
前述した主接点外部端子部５０ａ，５０ｂは、主接点側固定接触子１７，１８の上部に形成した雌ねじ１７ｂ，１８ｂに、固定ねじ８０（図１参照）を螺合することで第１絶縁ケース２の左側及び右側の側面から突出した状態で配置されている。
主接点側可動接触子１９は、導電性金属を材料として左右方向に長く延びる導電板であり、電磁石ユニット５の可動プランジャ１６に固定された連結軸１４に上下移動可能に支持される。主接点側可動接触子１９の左端側の上面には、主接点側固定接触子１７の接点１７ａに接触する接点１９ａが形成され、主接点側可動接触子１９の右端側の上面には、主接点側固定接触子１８の接点１８ａに接触する接点１９ｂが形成されている。
【００１５】
連結軸１４は、主接点側可動接触子１９に固定された第１連結軸１４ａと、可動プランジャ１６に固定された第２連結軸１４ｂと、第１連結軸１４ａ及び第２連結軸１４ｂを同軸に固定する軸結合部材１４ｃとで構成されている。
そして、第１連結軸１４ａの主接点側可動接触子１９よりも下側には、フランジ部１４ｄが外方に突出して形成されており、フランジ部１４ｄと主接点側可動接触子１９との間に、主接点側可動接触子１９を上方へ付勢する接触スプリング２０が設けられている。
主接点機構６は、収納ケース９の内部に設けた主接点機構収容室２１に収容されている。主接点機構収容室２１内には絶縁体からなる消弧容器２２が配置されている。
【００１６】
図５及び図７に示すように、主接点機構６の消弧容器２２の下側には、主接点機構６に対して第１及び第２補助接点機構７，８を隔離した状態で収納する補助接点機構収容室２３が設けられている。
第１補助接点機構７は、図５に示すように、補助接点機構収容室２３内の左右方向に離間して設けられている第１固定側支持部材２４，２４と、第１固定側支持部材２４，２４の間に位置し、連結軸１４の軸結合部材１４ｃに連動して上下方向に移動する第１可動側支持部材２５と、第１固定側支持部材２４，２４に固定された一対の第１補助接点側固定接触子２６，２７と、第１可動側支持部材２５に支持され、長手方向の両端部が一対の第１補助接点側固定接触子２６，２７に対向している第１補助接点側可動接触子２８と、を備えている。また、第１補助接点機構７は、第１可動側支持部材２５に配置され、第１補助接点側可動接触子２８に対して付勢力を付与する付勢スプリング２９と、一対の第１補助接点側固定接触子２６，２７のそれぞれに接続されている棒状の一対の第１補助接点電極３０，３１と、を備えている。
【００１７】
第１補助接点側固定接触子２６は、図３にも示すように、第１補助接点側可動接触子２８に対向している接点部を設けた接点板２６ａと、接点板２６ａに対して平面視で平行に延在する電極接続板２６ｂとを有するＵ字の部材である。そして、図６に示すように、第１補助接点側固定接触子２６の電極接続板２６ｂに第１補助接点電極３０の下端が接続しているとともに、第１補助接点電極３０は上方に延在し主接点側固定接触子１７、１８が固定されている頂板１１の前側（図２参照）を貫通して外部に突出している。
また、第１補助接点側固定接触子２７も、第１補助接点側固定接触子２６と同一形状であり、第１補助接点側固定接触子２７の電極接続板２７ｂに第１補助接点電極３１の下端が接続しているとともに、第１補助接点電極３１が上方に延在し、頂板１１の前側を貫通して第１補助接点電極３０に並びながら外部に突出している。
【００１８】
第１補助接点機構７の第１補助接点側固定接触子２６，２７及び第１補助接点側可動接触子２８は、ｂ接点（ノーマリークローズタイプの接点）を構成しており、第１補助接点側可動接触子２８は、主接点側可動接触子１９が釈放状態で、長手方向両端の接点部が、第１補助接点側固定接触子２６，２７の接点部のそれぞれに、付勢スプリング２９から所定の接触力が付与された状態で接触する。また、主接点側可動接触子１９が投入状態となると第１補助接点側可動接触子２８が上方に移動し、長手方向両端の接点部が第１補助接点側固定接触子２６，２７の接点部に対して上方に所定間隔を保って離間した状態となる。
【００１９】
第２補助接点機構８は、図７に示すように、補助接点機構収容室２３内の左右方向に離間して設けられている第２固定側支持部材３２，３２と、第２固定側支持部材３２，３２の間に位置し、連結軸１４の軸結合部材１４ｃに連動して上下方向に移動する第２可動側支持部材３３と、第２固定側支持部材３２，３２に固定された一対の第２補助接点側固定接触子３４，３５と、第２可動側支持部材３３に支持され、長手方向の両端部が一対の第２補助接点側固定接触子３４，３５に対向している第２補助接点側可動接触子３６と、第２可動側支持部材３３に配置され、第２補助接点側可動接触子３６に対して付勢力を付与する付勢スプリング３７と、一対の第２補助接点側固定接触子３４，３５のそれぞれに電気接続部（不図示）を介して接続されている棒状の第２補助接点電極３８，３９と、を備えている。
【００２０】
第２補助接点側固定接触子３４，３５は、第１補助接点側固定接触子２６，２７と同様の接点板（不図示）及び電極接続板（不図示）を備えたＵ字の部材であり、これら第２補助接点側固定接触子３４，３５の電極接続板に、第２補助接点電極３８，４９の下端が接続しているとともに、上方に延在して頂板１１の後ろ側を貫通して外部に突出している（図２参照）。
第２補助接点機構８の第２補助接点側固定接触子３４，３５及び第２補助接点側可動接触子３６は、ａ接点（ノーマリーオープンタイプの接点）を構成しており、第２補助接点側可動接触子３６は、主接点側可動接触子１９が釈放状態において、長手方向両端の接点部が第２補助接点側固定接触子３４，３５の接点部に対して上方に所定間隔を保って離間した状態となる。また、主接点側可動接触子１９が投入状態となると第２補助接点側可動接触子３６が上方に移動し、第２補助接点側固定接触子３４，３５の接点部のそれぞれに、付勢スプリング３７から所定の接触力が付与された状態で接触する。
【００２１】
電磁石ユニット５は、図４に示すように、側面から見てＵ字形状の下部磁気ヨーク４０を備えている。下部磁気ヨーク４０の開放端となる上端には、平板状の磁気ヨーク１２が固定されている。そして、磁気ヨーク１２の中央部に貫通孔１２ａが形成されている。
磁気ヨーク１２の下面の中央部には、貫通孔８ａを囲むように有底円筒状のキャップ１３がシール接合される。
このキャップ１３内には、磁気ヨーク１２の貫通孔１２ａに固定された円柱状の固定鉄心１５が配置されるとともに、固定鉄心１５の下方に可動プランジャ１６が上下方向に移動可能に配置される。
【００２２】
固定鉄心１５には、その下端面から上方に凹む復帰スプリング収容凹部１５ａが形成されている。また、可動プランジャ１６には、その上端面から下方に凹む復帰スプリング収容凹部１６ａが形成されている。復帰スプリング収容凹部１５ａ及び復帰スプリング収容凹部１６ａ内に、可動プランジャ１６を常時下方に付勢する復帰スプリング４１が収容されている。
また、キャップ１３の外周にはスプール４２が配設され、このスプール４２の外周に、可動プランジャ１６を駆動する励磁コイル４３が巻装されている。
【００２３】
励磁コイル４３の２本の巻線の端部は、図１で示した電磁石ユニット外部端子部５２Ａ，５２Ｂにそれぞれ接続される。
一方、図１において第１絶縁ケース２の前側の側面に配置された補助接点外部端子部５１は、図８及び図９（ａ）に示すように、配線基板５５と、１個の端子台５６と、４個の端子５７と、４個の座金付きの端子ねじ５８と、を備えている。なお、図９（ａ）では、端子ねじ５８を省略している。
【００２４】
配線基板５５は、例えばガラス繊維にエポキシ樹脂などを含浸させて形成した略長方形状の基板であり、配線基板５５の長手方向に離間した４箇所の位置の表面に配線パターン６０〜６３が形成されている。図８の右側で隣接して形成された２つの配線パターン６０、６１には、配線基板５５の裏面まで貫通している電極通過穴６０ａ，６１ａ及び配線基板５５の裏面まで貫通している端子通過穴６０ｂ，６１ｂが離間して形成されている。他の左側で隣接する２つの配線パターン６２、６３は、リード線接続穴６２ａ，６３ａ及び端子通過穴６２ｂ，６３ｂが離間して形成されている。また、配線基板５５には、端子台５６を係合するための２箇所の小径貫通穴６４と、２箇所の大径貫通穴６５とが形成されている。
【００２５】
４個の端子５７は、端子ねじ５８が螺合するねじ穴５７ａを形成した四角板状の端子板５７ｂと、端子板５７ｂに対して略直角に折曲されて延在している接続片５７ｃと、を備えている。
端子台５６の下部には、長手方向に４つの筒状の大径脚部６６が所定間隔をあけて形成されているとともに、２つの小径脚部６７が長手方向に離間して形成されている。また、端子台５６の上部には、端子５７の接続片５７ｃを通過させる接続片圧入穴６８が、長手方向に所定間隔をあけて４箇所形成されているとともに、各接続片圧入穴６８に対応する４箇所の位置に、端子板５７ｂの下面が面接触で当接する４つの端子板支持面６９が形成されている。
【００２６】
補助接点外部端子部５１を組み立ては、先ず、図８で示した端子台５６の２つの小径脚部６７を配線基板５５の２箇所の小径貫通穴６４に挿入し、端子台５６の２つの大径脚部６６を配線基板５５の２箇所の大径貫通穴６５に挿入することで、端子台５６を配線基板５５に係合する。次いで、４個の端子５７の接続片５７ｃを、端子台５６の４箇所の接続片圧入穴６８に圧入した後に配線基板５５の４箇所の端子通過穴６０ｂ，６１ｂ，６２ｂ，６３ｂの内部に挿入し、各接続片５７ｃと端子通過穴６０ｂ，６１ｂ，６２ｂ，６３ｂの開口周縁とを半田付けする（図９（ｂ）、（ｃ）を参照し、半田付けした箇所を半田部７１と称する）。これにより、４個の端子５７と、配線基板５５に形成した配線パターン６０〜６３とが電気的に接続される。
【００２７】
そして、４個の端子５７のねじ穴５７ａに端子ねじ５８を螺合することで、補助接点外部端子部５１の組み立てが完了する。
上記構成の補助接点外部端子部５１は、図１０に示すように、主接点機構６の主接点側固定接触子１７、１８が固定されている収納ケース９の頂板１１の前側に配置され、頂板１１の前側で突出している第１補助接点電極３０，３１及び頂板１１の後ろ側で突出している第２補助接点電極３８，３９に接続されている。
すなわち、収納ケース９の頂板１１の前側で突出している第１補助接点電極３０を配線基板５５の配線パターン６０に形成した電極通過穴６０ａに下側から挿通し、第１補助接点電極３１を配線パターン６１に形成した電極通過穴６１ａに下側から挿通する。そして、図１１に示すように、第１補助接点電極３０（３１）と電極通過穴６０ａ（６１ａ）の開口周縁とを半田付けする（半田付けした箇所を半田部７２と称する）。
【００２８】
また、図１２に示すように、頂板１１の後ろ側で突出している第２補助接点電極３８、３９に２本のリード線７３，７４の一端を接続する。リード線７３の他端は、配線基板５５の配線パターン６２に形成したリード線接続穴６２ａに挿入して半田付けする。また、リード線７４の他端も、配線基板５５の配線パターン６３に形成したリード線接続穴６３ａに挿入して半田付けする。
したがって、図１０及び図１２で示すように、補助接点外部端子部５１を構成する右側の一対の端子５７及び端子ねじ５８が、第１補助接点機構７の外部端子となる第１補助接点外部端子部５１Ａ，５１Ｂとされ、補助接点外部端子部５１の左側の一対の端子５７及び端子ねじ５８が、第２補助接点機構８の外部端子となる第２補助接点外部端子部５１Ｃ、５１Ｄとされている。
【００２９】
そして、図１２で示した接点装置４及び電磁石ユニット５を第１絶縁ケース２及び第２絶縁ケース３に収納すると、図１に示すように、収納ケース９の頂板１１に固定した一対の第１補助接点外部端子部５１Ａ，５１Ｂ及び一対の第２補助接点外部端子部５１Ｃ，５１Ｄが、第１絶縁ケース２の前側に設けた端子開口部（不図示）から外部に露出した状態で配置される。
ここで、本発明に係る収納ケースが接点収納ケース９に対応し、本発明に係るケース壁が頂板１１に対応し、本発明に係るケース壁から外部に突出している主接点電極が、主接点側固定接触子１７，１８に対応し、本発明に係る可動軸が連結軸１４に対応している。
【００３０】
次に、第１実施形態の電磁接触器１の動作を説明する。
主接点機構６の主接点外部端子部５０ａは、例えば大電流を供給する電力供給源に接続され、主接点外部端子部５０ｂが負荷装置に接続されているものとする。
また、第１絶縁ケース２の前側に配置した一対の第１補助接点外部端子部５１Ａ，５１Ｂに第１動作検知装置（不図示）が接続されているとともに、一対の第１補助接点外部端子部５１Ａ，５１Ｂに並んで配置された一対の第２補助接点外部端子部５１Ｃ、５１Ｄに第２動作検知装置（不図示）が接続されているものとする。
さらに、電磁石ユニット外部端子部５２には、励磁コイル４３に対して通電制御を行う電磁石ユニット制御装置（不図示）が接続されているものとする。
【００３１】
図４に示すように、電磁石ユニット５の励磁コイル４３が非励磁状態にあって、電磁石ユニット５が、可動プランジャ１６を上昇させる励磁力を発生していない釈放状態にあるものとする。
この釈放状態では、可動プランジャ１６が復帰スプリング４１によって、下方向に付勢される。このため、可動プランジャ１６に連結軸１４を介して連結されている主接点機構６の主接点側可動接触子１９が、一対の主接点側固定接触子１７，１８に対して下方に所定距離だけ離間している。このため、一対の主接点側固定接触子１７，１８の間の電流路が遮断状態にあり、主接点機構６が開いた状態となっている。
【００３２】
一方、第１補助接点機構７は、可動プランジャ１６が復帰スプリング４１によって下方に付勢され、可動プランジャ１６に連結された連結軸１４も下方に移動しているので、第１補助接点側可動接触子２８が第１補助接点側固定接触子２６，２７に接触し、第１補助接点外部端子部５１Ａ，５１Ｂ間の導通を第１動作検知装置が確認する。これに対して、第２補助接点機構８は、第２補助接点側可動接触子３６が第２補助接点側固定接触子３４、３５から離間しているので、第２補助接点外部端子部５１Ｃ，５１Ｄ間の非導通を第２動作検知装置が確認する。
【００３３】
この釈放状態から、電磁石ユニット制御装置によって電磁石ユニット５の励磁コイル４３を通電すると、電磁石ユニット５で励磁力が発生し、可動プランジャ１６を復帰スプリング４１の付勢力に抗して上方に押し上げる。
可動プランジャ１６が上昇すると、可動プランジャ１６に連結軸１４を介して連結されている主接点側可動接触子１９も上昇し、主接点側可動接触子１９の両接点１９ａ，１９ｂが、一対の主接点側固定接触子１７，１８の両接点１７ａ，１８ａに対して接触スプリング２９の接触圧で接触する。
【００３４】
このため、電力供給源の大電流が、一方の主接点側固定接触子１７、主接点側可動接触子１９、他方の主接点側固定接触子１８を通じて負荷装置に供給され、主接点機構６が閉じた状態（閉極状態）となる。
また、主接点機構６が開いた状態から閉じた状態になると、可動プランジャ１６に連結した連結軸１４も上方に移動しているので、第１補助接点側可動接触子２８が第１補助接点側固定接触子２６，２７から離間した状態となり、第１動作検知装置は、第１補助接点外部端子部５１Ａ，５１Ｂ間の非通電を確認する。また、第２補助接点側可動接触子３６が第２補助接点側固定接触子３４、３５に接触するので、第２動作検知装置は、第２補助接点外部端子部５１Ｃ，５１Ｄ間の通電を確認する。
【００３５】
そして、主接点機構６の閉極状態から、負荷装置への電流供給を遮断する場合には、電磁石ユニット制御装置による電磁石ユニット５の励磁コイル４３への通電を停止する。
励磁コイル４３への通電を停止すると、電磁石ユニット５で可動プランジャ１６を上方に移動させる励磁力がなくなることにより、可動プランジャ１６が復帰スプリング４１の付勢力によって下方に移動し、連結軸１４も下方に移動する。
ここで、主接点機構６が閉極状態から開極状態となる際に発生するアークによって、主接点側可動接触子１９が一対の主接点側固定接触子１７，１８に溶着する場合がある。この場合には、主接点側可動接触子１９が一対の主接点側固定接触子１７，１８に溶着することで、連結軸１４の下方移動が阻止される。
【００３６】
このため、第１補助接点機構７では、連結軸１４が下方に移動しないことで、第１補助接点側可動接触子２８が第１補助接点側固定接触子２６，２７に対して離間したままとなり、第１補助接点外部端子部５１Ａ，５１Ｂ間が非導通であることを第１動作検知装置が確認し、主接点機構６に溶着が発生したことを確実に検知することができる。
同様に、第２補助接点機構８でも、連結軸１４が下方に移動しないことで、第２補助接点側可動接触子３６が第１補助接点側固定接触子３４，３５に接触したままとなり、第２補助接点外部端子部５１Ｃ，５１Ｄ間の導通を第２動作検知装置が確認し、主接点機構６に溶着が発生したことを確実に検知することができる。
【００３７】
このように、第１実施形態の電磁接触器１によると、主接点機構６の主接点側可動接触子１９と、第１補助接点機構７の第１補助接点側可動接触子２８及び第２補助接点機構８の第２補助接点側可動接触子３６が可動軸となる連結軸１４に直接連結されており、第１動作検知装置が第１補助接点機構７の導通状態を確認し、第２動作検知装置が第２補助接点機構８の導通状態を確認することで、主接点機構６が閉極状から開極する際の溶着発生を確実に検知することができる。
また、第１絶縁ケース２の前側に配置されている一対の第１補助接点外部端子部５１Ａ，５１Ｂに第１動作検知装置を接続し、第１補助接点外部端子部５１Ａ，５１Ｂとともに第１絶縁ケース２の前側に配置されている一対の第２補助接点外部端子部５１Ｃ，５１Ｄに第２動作検知装置を接続するだけで、第１及び第２補助接点機構７，８の通電状態を確認するための接続作業が完了する。したがって、第１，第２動作検知装置など電流路に設けた他の電機部品と電磁接触器１との接続作業を容易に行うことができる。
【００３８】
また、補助接点外部端子部５１（一対の第１補助接点外部端子部５１Ａ，５１Ｂ及び一対の第２補助接点外部端子部５１Ｃ，５１Ｄ）を構成する配線基板５５には、４個の端子５７が電気的に接続されている４箇所の配線パターン６０〜６３が形成され、２箇所の配線パターン６０，６１には収納ケース９の頂板１１の前側で突出している第１補助接点電極３０，３１が直接に接続され、他の２箇所の配線パターン６２，６３は、収納ケース９の頂板１１の後ろ側で突出している第２補助接点電極３８，３９がリード線７３，７４を介して接続されている。
したがって、補助接点外部端子部５１を収納ケース９の頂板１１に装着する際には、頂板１１から突出した第１補助接点電極３０，３１及び第２補助接点電極３８，３９と、配線基板５５とを接続するだけなので、接続作業を簡便に、且つ効率よく行うことができる。
【００３９】
また、第１補助接点電極３０，３１が配線基板５５の配線パターン６０，６１に直接接続されているので、補助接点外部端子部５１を装着する際に使用するリード線の本数を減らしているので（２本のリード線７３，７４）、接続作業時に使用する部品の減少化を図ることができる。
次に、図１３〜図１９は、電磁接触器１において、収納ケース９の頂板１１に装着された補助接点外部端子部５１と第２補助接点電極３８，３９の間で延在しているリード線７３，７４を保持する第２実施形態〜第６実施形態の構造を示すものである。なお、図１３〜図１７では、補助接点外部端子部５１の端子ねじ５８を省略している。
【００４０】
〔第２実施形態〕
図１３に示すように、第２実施形態の電磁接触器１は、頂板１１の上面に、合成ゴムなどの絶縁性弾性体からなるリード線保持部８１が配置されている。
リード線保持部８１は、主接点側固定接触子１７，１８の外形と略同一形状の円形挿通穴８２，８３が形成されている長方形状の載置板８４と、載置板８４の長辺及び短辺の縁部に沿って４箇所の上面から突出している凸状部８５〜８８と、これら凸状部８５〜８８に直線状に形成された保持溝８５ａ〜８８ａと、を備えている。
【００４１】
第２補助接点電極３８と配線基板５５の配線パターン６２（リード線接続穴６２ａ）との間で接続しているリード線７３は、頂板１１の上面に配置されたリード線保持部８１の凸状部８５の保持溝８５ａ、凸状部８６の保持溝８６ａに入り込んで保持された状態で延在している。また、第２補助接点電極３９と配線基板５５の配線パターン６３（リード線接続穴６３ａ）との間で接続しているリード線７４も、リード線保持部８１の凸状部８７の保持溝８７ａに入り込んで保持された状態で延在している。
この状態で、接点装置４を第１絶縁ケース２の内部に収納すると、リード線保持部８１に第１絶縁ケース２の内壁が近接して凸状部８５〜８８を押圧して弾性変形させるので、保持溝８５ａ，８６ａ，８７ａに入り込んだリード線７３，７４が挟持される。
【００４２】
このように、第２実施形態では、第２補助接点電極３８，３９及び補助接点外部端子部５１の配線基板５５の間で接続されているリード線７３，７４が、頂板１１の上面に配置したリード線保持部８１の凸状部８５〜８８の保持溝８５ａ〜８８ａの何れかに入り込んで確実に保持されるので、接点装置４及び電磁石ユニット５を第１絶縁ケース２及び第２絶縁ケース３に収納する際に、リード線７３，７４が第１絶縁ケース２及び第２絶縁ケース３の間に挟まるなどの不具合を解消することができる。
また、接点装置４を第１絶縁ケース２の内部に収納した際には、第１絶縁ケース２の内壁がリード線保持部８１の凸状部８５〜８８を押し潰しているので、保持溝８５ａ，８６ａ，８７ａ内のリード線７３，７４を確実に固定することができる。
なお、第２実施形態は、載置板８４の上面に凸状部８５〜８８が突出している構造を示したが、収納ケース９の頂板１１に当接する載置板８４の下面に凸状部を形成し、その凸状部に形成した保持溝に、リード線７３，７４を入れて保持するようにしてもよい。
【００４３】
〔第３実施形態〕
図１４に示すように、第３実施形態の電磁接触器１は、頂板１１の上面に、合成ゴムなどの絶縁性弾性体からなるリード線保持部９０が配置されている。
リード線保持部９０は、主接点側固定接触子１７，１８の外形と略同一形状の円形挿通穴９１，９２が形成されている第２実施形態の載置板８４より厚肉形状で長方形状の載置板９３と、載置板９３の短辺の側面に形成された保持溝９４，９５と、を備えている。
第３実施形態では、第２補助接点電極３８と配線基板５５の配線パターン６２（リード線接続穴６２ａ）との間で接続されたリード線７３が、リード線保持部９０の保持溝９４に入り込んで保持された状態で延在している。また、第２補助接点電極３９と配線基板５５の配線パターン６３（リード線接続穴６３ａ）との間で接続されたリード線７４は、リード線保持部９０の保持溝９５に入り込んで保持された状態で延在している。
【００４４】
この状態で、接点装置４を第１絶縁ケース２の内部に収納すると、リード線保持部９０に第１絶縁ケース２の内壁が近接して載置板９３全体を押圧して弾性変形させるので、保持溝９４，９５に入り込んでいるリード線７３，７４が挟持される。
このように、第３実施形態では、リード線７３，７４が、頂板１１の上面に配置したリード線保持部９０の保持溝９４，９５に入り込んで確実に保持されるので、接点装置４及び電磁石ユニット５を第１絶縁ケース２及び第２絶縁ケース３に収納する際に、リード線７３，７４が第１絶縁ケース２及び第２絶縁ケース３の間に挟まるなどの不具合を解消することができる。
また、接点装置４を第１絶縁ケース２の内部に収納した際には、第１絶縁ケース２の内壁がリード線保持部９０の載置板９３を押し潰しているので、保持溝９４，９５内のリード線７３，７４を確実に固定することができる。
【００４５】
〔第４実施形態〕
図１５に示すように、第４実施形態の電磁接触器１は、頂板１１の上面に、合成ゴムなどの絶縁性弾性体からなるリード線保持部９６が配置されている。
リード線保持部９６は、主接点側固定接触子１７，１８の外形と略同一形状の円形挿通穴９７，９８が形成されている長方形状の載置板９９と、載置板９９の短辺の縁部に沿って上面に形成された保持突起部１００，１０１と、を備えている。
保持突起部１００、１０１は、載置板９９の上面からに立ち上がる立ち上がり部１００ａ，１０１ａと、立ち上がり部１００ａ，１００ａの上端から円形挿通穴９７，９８側に向かって延在する折曲部１００ｂ，１０１ｂとを有するＬ字形状の部位である。
【００４６】
第４実施形態では、第２補助接点電極３８と配線基板５５の配線パターン６２（リード線接続穴６２ａ）との間で接続されたリード線７３が、リード線保持部９６の保持突起部１００の立ち上がり部１００ａの主接点側固定接触子１７に対向している内壁に接触した状態で延在している。
また、第２補助接点電極３９と配線基板５５の配線パターン６３（リード線接続穴６３ａ）との間で接続されたリード線７４は、リード線保持部９６の保持突起部１０１の立ち上がり部１０１ａの主接点側固定接触子１８に対向している内壁に接触した状態で延在している。
【００４７】
この状態で、接点装置４を第１絶縁ケース２の内部に収納すると、リード線保持部９６に第１絶縁ケース２の内壁が近接して保持突起部１００，１０１を押圧し、立ち上がり部１００ａ，１０１ａ及び折曲部１００ｂ，１０１ｂが載置板９９側に倒れていきながら弾性変形するので、リード線７３，７４は保持突起部１００，１０１に挟持される。
このように、第４実施形態では、リード線７３，７４が、頂板１１の上面に配置したリード線保持部９６の保持突起部１００，１０１に確実に保持されるので、接点装置４及び電磁石ユニット５を第１絶縁ケース２及び第２絶縁ケース３に収納する際に、リード線７３，７４が第１絶縁ケース２及び第２絶縁ケース３の間に挟まるなどの不具合を解消することができる。
【００４８】
また、接点装置４を第１絶縁ケース２の内部に収納した際には、第１絶縁ケース２の内壁がリード線保持部９６の保持突起部１００，１０１を押し潰してリード線７３，７４を覆うので、リード線７３，７４を確実に固定することができる。
なお、第４実施形態は、載置板９９の上面に保持突起部１００、１０１が突出している構造を示したが、収納ケース９の頂板１１に当接する載置板９９の下面に保持突起部１００、１０１を形成してもよい。
【００４９】
〔第５実施形態〕
図１６に示すように、第５実施形態の電磁接触器１は、頂板１１の上面に、合成ゴムなどの絶縁性弾性体からなるリード線保持部１０２が配置されている。
リード線保持部１０２は、主接点側固定接触子１７，１８の外形と略同一形状の円形挿通穴１０３，１０４が形成されている長方形状の載置板１０５と、載置板１０５の短辺の縁部に沿って上面に形成された保持突起部１０６，１０７と、を備えている。
保持突起部１０６、１０７には、短辺に沿う方向に貫通し、リード線７３、７４が挿通可能な貫通穴１０６ａ，１０７ａが形成されている。
【００５０】
第５実施形態では、頂板１１の上面にリード線保持部１０２の載置板１０５を載置した後、第２補助接点電極３８及び配線基板５５に接続していないリード線７３を保持突起部１０６の貫通穴１０６ａに挿通し、第２補助接点電極３９及び配線基板５５に接続していないリード線７４を保持突起部１０７の貫通穴１０７ａに挿通する。次いで、第２補助接点電極３８と配線基板５５の配線パターン６２（リード線接続穴６２ａ）との間にリード線７３を接続し、第２補助接点電極３９と配線基板５５の配線パターン６３（リード線接続穴６３ａ）との間にリード線７４を接続する。
【００５１】
この状態で、接点装置４を第１絶縁ケース２の内部に収納すると、リード線保持部１０２に第１絶縁ケース２の内壁が近接して保持突起部１０６，１０７が押圧されて弾性変形するので、リード線保持部１０２の保持突起部１０６，１０７に挿通されているリード線７３，７４が挟持される。
このように、第５実施形態では、リード線７３，７４が、頂板１１の上面に配置したリード線保持部１０２の保持突起部１０６，１０７に確実に保持されるので、接点装置４及び電磁石ユニット５を第１絶縁ケース２及び第２絶縁ケース３に収納する際に、リード線７３，７４が第１絶縁ケース２及び第２絶縁ケース３の間に挟まるなどの不具合を解消することができる。
【００５２】
また、接点装置４を第１絶縁ケース２の内部に収納した際には、第１絶縁ケース２の内壁がリード線保持部１０２の保持突起部１０６，１０７を押し潰しているので、保持突起部１０６，１０７内のリード線７３，７４を確実に固定することができる。
なお、第５実施形態は、載置板１０５の上面に保持突起部１０６、１０７が突出している構造を示したが、収納ケース９の頂板１１に当接する載置板１０５の下面に保持突起部１０６、１０７を形成してもよい。
【００５３】
〔第６実施形態〕
図１７に示すように、第６実施形態の電磁接触器１は、頂板１１の上面に、合成ゴムなどの絶縁性弾性体からなるリード線保持部１５０が配置されている。
リード線保持部１５０は、図１８（ａ）、（ｂ）に示すように、主接点側固定接触子１７，１８の外形と略同一形状の円形貫通穴１５１，１５２が形成されている長方形状の載置板１５３と、載置板１５３の長辺の縁部に沿って２箇所の上面から突出している上部凸状部１５４、１５５と、これら上部凸状部１５４、１５５の上面に直線状に形成されている保持溝１５４ａ、１５５ａと、載置板１５３の短辺から外方に突出している側部凸状部１５６、１５７と、これら側部凸状部１５６、１５７の下面に直線状に形成されている保持溝１５６ａ、１５７ａと、載置板１５３の上面から立ち上がっている一対の第１の絶縁隔壁１５８，１５９と、を備えている。
【００５４】
第２補助接点電極３８と配線基板５５の配線パターン６２（リード線接続穴６２ａ）との間で接続しているリード線７３は、側部凸状部１５７の保持溝１５７ａ、上部凸状部１５４の保持溝１５４ａに入り込んで保持された状態で延在している。また、第２補助接点電極３９と配線基板５５の配線パターン６３（リード線接続穴６３ａ）との間で接続しているリード線７４は、側部凸状部１５６の保持溝１５６ａに入り込んで保持された状態で延在している。
また、第１の絶縁隔壁１５８は、配線基板５５のリード線７３が接続している配線パターン６２（リード線接続穴６２ａ）及びリード線７４が接続している配線パターン６３（リード線接続穴６３ａ）と、主接点側固定接触子１８との間を仕切っている。
【００５５】
この状態で、接点装置４を第１絶縁ケース２の内部に収納すると、リード線保持部１５０に第１絶縁ケース２の内壁が近接して上部凸状部１５４及び側部凸状部１５６、１５７を押圧して弾性変形させるので、保持溝１５６ａ，１５７ａ及び保持溝１５４ａに入り込んだリード線７３，７４が挟持される。
また、リード線７３が接続しているリード線接続穴６２ａ及びリード線７４が接続しているリード線接続穴６３ａと、主接点側固定接触子１８との間には第１の絶縁隔壁１５８が配置されているので、相互間に十分な沿面絶縁距離が確保される。
【００５６】
このように、第６実施形態も、リード線７３，７４が、頂板１１の上面に配置したリード線保持部１５０の上部凸状部１５４、１５５と、側部凸状部１５６、１５７の何れかに保持されるので、接点装置４及び電磁石ユニット５を第１絶縁ケース２及び第２絶縁ケース３に収納する際に、リード線７３，７４が第１絶縁ケース２及び第２絶縁ケース３の間に挟まるなどの不具合を解消することができる。
また、リード線７３が接続しているリード線接続穴６２ａ及びリード線７４が接続しているリード線接続穴６３ａと、主接点側固定接触子１８との間に第１の絶縁隔壁１５８が位置しているので、相互間に十分な沿面絶縁距離を確保することができる。
なお、リード線保持部１５０は、載置板１５３の平面視における中心位置に対して、円形貫通穴１５１，１５２、上部凸状部１５４、１５５、側部凸状部１５６、１５７及び第１の絶縁隔壁１５８，１５９が点対称の位置に形成されているので、頂板１１の上面へのリード線保持部１５０の配置を容易に行うことができる。
【００５７】
ここで、図１９は、第６実施形態の変形例であり、リード線保持部１５０の載置板１５３の上面に、一対の第２の絶縁隔壁１６０，１６１が立ち上がっている。
第２の絶縁隔壁１６０は、側部凸状部１５７の保持溝１５７ａから出たリード線７３と主接点側固定接触子１７との間で立ち上がっている。また、第２の絶縁隔壁１６１は、第２補助接点電極３９側のリード線７４と主接点側固定接触子１８との間に位置している。
したがって、第２の絶縁隔壁１６０は、側部凸状部１５７の保持溝１５７ａから出たリード線７３と主接点側固定接触子１７との間に十分な沿面絶縁距離を確保することができるとともに、第２の絶縁隔壁１６１は、第２補助接点電極３９側のリード線７４と主接点側固定接触子１８との間に十分な沿面絶縁距離を十分に確保することができる。
【００５８】
〔第７実施形態〕
次に、図２０及び図２１は、収納ケース９の頂板１１の前側に配置され、頂板１１の前側で突出している第１補助接点電極３０，３１及び頂板１１の後ろ側で突出している第２補助接点電極３８，３９に接続されている第７実施形態の補助接点外部端子１１０を示すものである。なお、図1から図１２で示した第１実施形態と同一構成部分には、同一符号を付してその説明は省略する。
補助接点外部端子１１０は、頂板１１の略全域に載置されている配線基板１１１と、１個の端子台５６と、４個の端子５７と、４個の座金付きの端子ねじ５８と、を備えている。
【００５９】
配線基板１１１は、例えばガラス繊維にエポキシ樹脂などを含浸させて形成した四角形状を有し、頂板１１と略同一面積を有した基板である。
配線基板１１１は、図２１に示すように、主接点側固定接触子１７，１８が内部に位置する円形貫通穴１１２，１１３と、第１補助接点電極３０，３１が挿通される第１電極用スルーホール１１４，１１５と、第２補助接点電極３８，３９が挿通される第２電極用スルーホール１１６、１１７と、を備えている。
配線基板１１１の第１電極用スルーホール１１４，１１５側には、端子台５６の大径脚部６６が嵌まり込む大径貫通穴１１８が所定間隔をあけて４箇所形成されているとともに、４箇所の端子用スルーホール１１９ａ〜１１９ｄが所定間隔をあけて形成されている。
【００６０】
そして、配線基板１１１の裏面（頂板１１に対向する面）には、第１電極用スルーホール１１４と端子用スルーホール１１９ａとを接続する配線パターン１２０が形成され、第１電極用スルーホール１１５と端子用スルーホール１１９ｂとを接続する配線パターン１２１が形成されている。
また、配線基板１１１の裏面に、第２電極用スルーホール１１６と端子用スルーホール１１９ｃとを接続する配線パターン１２２が形成され、第２電極用スルーホール１１７と端子用スルーホール１１９ｄとを接続する配線パターン１２３が形成されている。
【００６１】
端子台５６は、４箇所の大径脚部６６を配線基板１１１の大径貫通穴１１８に挿入することで配線基板１１１に係合されている。
４個の端子５７の接続片５７ｃは、端子台５６の４箇所の接続片圧入穴６８に圧入した後に配線基板１１１の４箇所の端子用スルーホール１１９ａ〜１１９ｄに挿入され、半田付けすることで接続されている。
また、配線基板１１１の第１電極用スルーホール１１４，１１５にそれぞれ挿通された第１補助接点電極３０，３１と、第２電極用スルーホール１１６、１１７にそれぞれ挿通された第２補助接点電極３８，３９は、半田付けすることで接続されている。
【００６２】
したがって、図２０で示すように、第６実施形態の補助接点外部端子１１０は、右側の一対の端子５７及び端子ねじ５８が、第１補助接点機構７の外部端子となる第１補助接点外部端子部１１０Ａ，１１０Ｂとされ、左側の一対の端子５７及び端子ねじ５８が、第２補助接点機構８の外部端子となる第２補助接点外部端子部１１０Ｃ、１１０Ｄとされている。
このように、第７実施形態によると、補助接点外部端子１１０を構成する配線基板１１１は、第１補助接点電極３０，３１が配線パターン１２０，１２１により直接接続され、第２補助接点電極３８，３９が配線パターン１２２，１２３により直接接続されてリード線を不要としているので、補助接点外部端子１１０の接続作業を、さらに効率よく行うことができるとともに、接続作業時に使用する部品の減少化を促進することができる。
【００６３】
〔第８実施形態〕
次に、図２２は、頂板１１の前側の第１補助接点電極３０，３１及び頂板１１の後ろ側の第２補助接点電極３８，３９に接続している第８実施形態の補助接点外部端子部１３０を示すものである。
第８実施形態の補助接点外部端子部１３０は、頂板１１の前側に配置された補助接点外部端子部１３１と、頂板１１の後ろ側に配置された補助接点外部端子部１３６とを備えている。
【００６４】
補助接点外部端子部１３１は、２箇所の配線パターン１３２ａ，１３２ｂが形成されている配線基板１３２と、端子台１３３に支持されて端子接続片（不図示）が２箇所の配線パターン１３２ａ，１３２ｂに形成した端子挿通穴（不図示）に挿入された状態で接続されている２個の端子１３４，１３５とを備えている。そして、頂板１１の前側で突出している第１補助接点電極３０，３１は、配線パターン１３２ａ，１３２ｂに形成した電極通過穴（不図示）に挿入された状態で接続されている。
他の補助接点外部端子部１３６も、２箇所の配線パターン１３７ａ，１３７ｂが形成されている配線基板１３７と、端子台１３８に支持されて端子接続片（不図示）が２箇所の配線パターン１３７ａ，１３７ｂに形成した端子挿通穴（不図示）に挿入された状態で接続されている２個の端子１３９，１４０とを備えている。そして、頂板１１の後ろ側で突出している第２補助接点電極３８，３９が、配線パターン１３７ａ，１３７ｂに形成した電極通過穴（不図示）に挿入された状態で接続されている。
【００６５】
第８実施形態の補助接点外部端子部１３０は、頂板１１の前側に配置された補助接点外部端子部１３１が、第１補助接点機構７の外部端子となる第１補助接点外部端子部１３０Ａ，１３０Ｂとされ、頂板１１の後ろ側に配置された補助接点外部端子部１３６が、第２補助接点機構８の外部端子となる第２補助接点外部端子部１３０Ｃ，１３０Ｄとされる。
したがって、第８実施形態によると、第１補助接点電極３０，３１が第１補助接点外部端子部１３０Ａ，１３０Ｂの配線パターン１３２ａ，１３２ｂに直接接続され、第２補助接点電極３８，３９が、第２補助接点外部端子部１３０Ｃ，１３０Ｄの配線パターン１３７ａ，１３７ｂに直接接続されてリード線を不要としているので、補助接点外部端子部１３０の接続作業を、さらに効率よく行うことができるとともに、接続作業時に使用する部品の減少化を促進することができる。
【００６６】
〔第９実施形態〕
さらに、図２３で示す第９実施形態は、頂板１１の後ろ側であって第２補助接点電極３８、３９の近くに、電磁石ユニット５の励磁コイル４３の２本の巻線に接続している一対の電磁石ユニット電極１４１，１４２が突出している。
そして、頂板１１の前側には補助接点外部端子部１３１が配置され、頂板１１の後ろ側は第２補助接点・電磁石ユニット外部端子部１４３が配置されている。
補助接点外部端子部１３１は、第８実施形態の図２１で示したものと同一構成であり、第１補助接点機構７の外部端子となる第１補助接点外部端子部１３０Ａ，１３０Ｂとして構成されるものとして、同一符号を付して説明は省略する。
【００６７】
第２補助接点・電磁石ユニット外部端子部１４３は、４箇所の配線パターン１４４ａ〜１４４ｄが形成されている配線基板１４４と、端子台１４５に支持されて端子接続片（不図示）が４箇所の配線パターン１４４ａ〜１４４ｄに形成した端子挿通穴（不図示）に挿入された状態で接続されている４個の端子１４６とを備えている。
この第２補助接点・電磁石ユニット外部端子部１４３の右側の２箇所の配線パターン１４４ａ，１４４ｂに形成した電極通過穴には、頂板１１の後ろ側で突出している第２補助接点電極３８，３９が挿入された状態で接続されており、第２補助接点機構８の外部端子となる第２補助接点外部端子部１４７Ｃ，１４７Ｄとして構成されている。
【００６８】
一方、第２補助接点・電磁石ユニット外部端子部１４３の左側の２箇所の配線パターン１４４ｃ，１４４ｄに形成した電極通過穴に、一対の電磁石ユニット電極１４１，１４２が挿入された状態で接続されている。
したがって、第２補助接点・電磁石ユニット外部端子部１４３の左側の２個の端子１４６は、電磁石ユニット外部端子部１４８Ａ、１４８Ｂとされる。
第９実施形態によると、第１補助接点外部端子部１３０Ａ，１３０Ｂと第２補助接点外部端子部１４７Ｃ，１４７Ｄとともに、電磁石ユニット外部端子部１４８Ａ、１４８Ｂも頂板１１に配置された構成とされているので、電流路に設けた他の電機部品と電磁接触器１との接続作業をさらに容易に行うことができる。
【００６９】
なお、第９実施形態に対して異なる構造として、補助接点外部端子部１３１も頂板１１の後ろ側に配置することで、補助接点外部端子部１３１及び第２補助接点・電磁石ユニット外部端子部１４３の全てを頂板１１の後ろ側の一辺に集約する構造とすると、第９実施形態と同様に、電流路に設けた他の電機部品と電磁接触器１との接続作業をさらに容易に行うことができる。
【００７０】
ここで、上述した第１〜第９実施形態において、本発明に係る主接点部が主接点機構６に対応し、本発明に係る補助接点部が第１及び第２補助接点機構７，８、本発明に係る接点収納ケースが収納ケース９に対応している。また、本発明に係る補助接点電極が第１補助接点電極３０，３１及び第２補助接点電極３８，３９に対応している。また、本発明に係る配線保持部がリード線保持部８１，９０，９６，１０２，１５０に対応している。また、本発明係るＬ字型の凸状部が保持突起部１００，１０１に対応している。さらに、本発明に係る隔壁が第１の絶縁隔壁１５８，１５９及び第２の絶縁隔壁１６０，１６１に対応している。
【符号の説明】
【００７１】
１  電磁接触器
２  第１絶縁ケース
３  第２絶縁ケース
４  接点装置
５  電磁石ユニット
６  主接点機構
７，８  第１及び第２補助接点機構
９  収納ケース
１０  接合部材
１１  頂板
１２  磁気ヨーク
１２ａ  貫通孔
１３  キャップ
１４  連結軸
１４ａ  第１連結軸
１４ｂ  第２連結軸
１４ｃ  軸結合部材
１４ｄ  フランジ部
１５  固定鉄心
１５ａ，１６ａ  復帰スプリング収容凹部
１６  可動プランジャ
１７，１８  主接点側固定接触子
１９  主接点側可動接触子
１７ａ，１８ａ  接点
１７ｂ，１８ｂ  雌ねじ
１９ａ  接点
１９ｂ  接点
２０  接触スプリング
２１  主接点機構収容室
２２  消弧容器
２３  補助接点機構収容室
２４  第１固定側支持部材
２５  第１可動側支持部材
２６，２７  第１補助接点側固定接触子
２６ａ  接点板
２６ｂ  電極接続板
２７ｂ  電極接続板
２８  第１補助接点側可動接触子
２９  接触スプリング
３０、３１  第１補助接点電極
３２  第２固定側支持部材
３３  第２可動側支持部材
３４，３５  第２補助接点側固定接触子
３６  第２補助接点側可動接触子
３７  付勢スプリング
３８、３９  第２補助接点電極
４０  下部磁気ヨーク
４１  復帰スプリング
４２  スプール
４３  励磁コイル
５０ａ，５０ｂ  主接点外部端子部
５１  補助接点外部端子部
５１Ａ，５１Ｂ  第１補助接点外部端子部
５１Ｃ，５１Ｄ  第２補助接点外部端子部
５２Ａ，５２Ｂ  電磁石ユニット外部端子部
５５  配線基板
５６  端子台
５７  端子
５８  端子ねじ
６０〜６３  配線パターン
６０ａ，６１ａ  電極通過穴
６０ｂ，６１ｂ  端子通過穴
６２ａ，６３ａ  リード線接続穴
６２ｂ，６３ｂ  端子通過穴
６４  小径貫通穴
６５  大径貫通穴
５７ａ  ねじ穴
５７ｂ  端子板
５７ｃ  接続片
６６大径脚部
６７  小径脚部
６８  接続片圧入穴
６９  端子板支持面
７１  半田部
７２  半田部
７３，７４  リード線
８０  固定ねじ
８１  リード線保持部
８２，８３  円形挿通穴
８４  載置板
８５〜８８  凸状部
８５ａ〜８８ａ  保持溝
９０  リード線保持部
９１，９２  円形挿通穴
９３  載置板
９４，９５  保持溝
９６  リード線保持部
９７，９８  円形挿通穴
９９  載置板
１００，１０１  保持突起部
１００ａ，１０１ａ  立ち上がり部
１００ｂ，１０１ｂ  折曲部
１０２  リード線保持部
１０３，１０４  円形挿通穴
１０５  載置板
１０６，１０７  保持突起部
１０６ａ，１０７ａ  貫通穴
１１０  補助接点外部端子
１１０Ａ，１１０Ｂ  第１補助接点外部端子部
１１０Ｃ、１１０Ｄ  第２補助接点外部端子部
１１１  配線基板
１１２，１１３  円形貫通穴
１１４，１１５  第１電極用スルーホール
１１６、１１７  第２電極用スルーホール
１１８  大径貫通穴
１１９ａ〜１１９ｄ  端子用スルーホール
１２０〜１２３  配線パターン
１３０  補助接点外部端子部
１３２ａ，１３２ｂ、１３７ａ，１３７ｂ  配線パターン
１３２，１３７  配線基板
１３３、１３８  端子台
１３４，１３５，１３９、１４０  端子
１３０Ａ，１３０Ｂ  第１補助接点外部端子部
１３０Ｃ，１３０Ｄ  第２補助接点外部端子部
１４１，１４２  電磁石ユニット電極
１４３  第２補助接点・電磁石ユニット外部端子部
１４４  配線基板
１４４ａ〜１４４ｄ  配線パターン
１４６  端子
１４７Ｃ，１４７Ｄ  第２補助接点外部端子部
１４８Ａ、１４８Ｂ  電磁石ユニット外部端子部
１５０  リード線保持部
１５１，１５２  円形貫通穴
１５３  載置板
１５４、１５５  上部凸状部
１５４ａ、１５５ａ  保持溝
１５６、１５７  側部凸状部
１５６ａ、１５７ａ  保持溝
１５８，１５９  第１の絶縁隔壁
１６０，１６１  第２の絶縁隔壁
【図１】
2018113141.tif 000003
【図２】
2018113141.tif 000004
【図３】
2018113141.tif 000005
【図４】
2018113141.tif 000006
【図５】
2018113141.tif 000007
【図６】
2018113141.tif 000008
【図７】
2018113141.tif 000009
【図８】
2018113141.tif 000010
【図９】
2018113141.tif 000011
【図１０】
2018113141.tif 000012
【図１１】
2018113141.tif 000013
【図１２】
2018113141.tif 000014
【図１３】
2018113141.tif 000015
【図１４】
2018113141.tif 000016
【図１５】
2018113141.tif 000017
【図１６】
2018113141.tif 000018
【図１７】
2018113141.tif 000019
【図１８】
2018113141.tif 000020
【図１９】
2018113141.tif 000021
【図２０】
2018113141.tif 000022
【図２１】
2018113141.tif 000023
【図２２】
2018113141.tif 000024
【図２３】
2018113141.tif 000025
【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
主接点部と、
この主接点部と連動した補助接点部と、
前記主接点部及び前記補助接点部を収納する接点収納ケースと、
前記主接点部及び前記補助接点部を駆動する電磁石ユニットと、
前記補助接点部の一対の固定接点に接続されてケース壁から外部に突出している複数対の補助接点電極と、
前記ケース壁の一辺に集約されて配置されている複数対の補助接点外部端子部と、を備え、
前記複数対の補助接点電極の一方は、前記複数対の補助接点外部端子部の一方を固定し、
前記複数対の補助接点電極の他方は、前記複数対の補助接点外部端子部の他方に配線で接続される電磁接触器。
【請求項２】
前記複数対の補助接点外部端子部は、
端子と、前記補助接点電極とを電気的に接続する配線パターンが形成された配線基板とを有する請求項１に記載の電磁接触器。
【請求項３】
前記電磁石ユニットは電磁石ユニット外部端子部をさらに有し、
前記電磁石ユニット外部端子部は、前記複数対の補助接点外部端子部と同一面上に形成されている請求項１または２に記載の電磁接触器。
【請求項４】
前記電磁石ユニット外部端子部が、前記補助接点外部端子部と共に前記ケース壁の一辺に集約されている請求項３に記載の電磁接触器。
【請求項５】
前記配線の一部を固定する配線固定部を有する請求項１乃至４の何れか一項に記載の電磁接触器。
【請求項６】
前記配線固定部が配線保持部に設けられている請求項５に記載の電磁接触器。
【請求項７】
前記配線固定部は前記配線保持部上に設けられる凸状部である請求項５に記載の電磁接触器。
【請求項８】
前記凸状部に保持溝が形成されている請求項７に記載の電磁接触器。
【請求項９】
前記凸状部はＬ字型である請求項７に記載の電磁接触器。
【請求項１０】
前記凸状部に貫通穴が形成されている請求項７に記載の電磁接触器。
【請求項１１】
前記配線保持部の側面に保持溝が形成されている請求項６に記載の電磁接触器。
【請求項１２】
前記配線保持部の下面に保持溝が形成されている請求項６に記載の電磁接触器。
【請求項１３】
前記ケース壁の中央で突出している前記主接点部の主接点側固定接触子及び前記補助接点外部端子部の間、または、前記主接点側固定接触子及び前記配線の間に隔壁を有する請求項１乃至１２の何れか一項に記載の電磁接触器。
【請求項１４】
前記隔壁は、前記配線保持部に設けられる請求項１３に記載の電磁接触器。
【請求項１５】
前記配線保持部は、弾性板である請求項６乃至１２の何れか一項に記載の電磁接触器。
【手続補正２】
【補正対象書類名】明細書
【補正対象項目名】０００６
【補正方法】変更
【補正の内容】
【０００６】
上記目的を達成するために、本発明の一態様に係る電磁接触器は、主接点部と、この主接点部と連動した補助接点部と、主接点部及び補助接点部を収納する接点収納ケースと、主接点部及び補助接点部を駆動する電磁石ユニットと、補助接点部の一対の固定接点に接続されてケース壁から外部に突出している複数対の補助接点電極と、ケース壁の一辺に集約されて配置されている複数対の補助接点外部端子部と、を備え、複数対の補助接点電極の一方は、複数対の補助接点外部端子部の一方を固定し、複数対の補助接点電極の他方は、複数対の補助接点外部端子部の他方に配線で接続される。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
主接点部と、
この主接点部と連動した補助接点部と、
前記主接点部及び前記補助接点部を収納する接点収納ケースと、
前記主接点部及び前記補助接点部を駆動する電磁石ユニットと、
前記補助接点部の一対の固定接点に接続されてケース壁から外部に突出している複数対の補助接点電極と、
前記ケース壁の一辺に集約されて配置されている複数対の補助接点外部端子部と、を備え、
前記複数対の補助接点電極の一方は、前記複数対の補助接点外部端子部の一方を固定し、
前記複数対の補助接点電極の他方は、前記複数対の補助接点外部端子部の他方に配線で接続され、
前記ケース壁に載置された載置板と、この載置板に設けられて前記配線の一部を固定する配線固定部と、を備えた弾性体からなる配線保持部を有し、
前記配線保持部は、前記配線固定部が弾性変形した状態で前記接点収納ケースに収納されている電磁接触器。
【請求項２】
前記複数対の補助接点外部端子部は、
端子と、前記補助接点電極とを電気的に接続する配線パターンが形成された配線基板とを有する請求項１に記載の電磁接触器。
【請求項３】
前記電磁石ユニットは電磁石ユニット外部端子部をさらに有し、
前記電磁石ユニット外部端子部は、前記複数対の補助接点外部端子部と同一面上に形成されている請求項１または２に記載の電磁接触器。
【請求項４】
前記電磁石ユニット外部端子部が、前記補助接点外部端子部と共に前記ケース壁の一辺に集約されている請求項３に記載の電磁接触器。
【請求項５】
前記配線固定部は、前記載置板の上面に設けられる凸状部である請求項１乃至４の何れか一項に記載の電磁接触器。
【請求項６】
前記凸状部に保持溝が形成されている請求項５に記載の電磁接触器。
【請求項７】
前記凸状部はＬ字型である請求項５に記載の電磁接触器。
【請求項８】
前記凸状部に貫通穴が形成されている請求項５に記載の電磁接触器。
【請求項９】
前記配線固定部は、前記載置板の側面に形成された保持溝である請求項１乃至４の何れか一項に記載の電磁接触器。
【請求項１０】
前記配線固定部は、前記載置板の下面に形成された保持溝である請求項１乃至４の何れか一項に記載の電磁接触器。
【請求項１１】
前記ケース壁の中央で突出している前記主接点部の主接点側固定接触子及び前記補助接点外部端子部の間、または、前記主接点側固定接触子及び前記配線の間に隔壁を有する請求項１乃至１０の何れか一項に記載の電磁接触器。
【請求項１２】
前記隔壁は、前記配線保持部に設けられる請求項１１に記載の電磁接触器。
【手続補正２】
【補正対象書類名】明細書
【補正対象項目名】０００６
【補正方法】変更
【補正の内容】
【０００６】
上記目的を達成するために、本発明の一態様に係る電磁接触器は、主接点部と、この主接点部と連動した補助接点部と、主接点部及び補助接点部を収納する接点収納ケースと、主接点部及び補助接点部を駆動する電磁石ユニットと、補助接点部の一対の固定接点に接続されてケース壁から外部に突出している複数対の補助接点電極と、ケース壁の一辺に集約されて配置されている複数対の補助接点外部端子部と、を備え、複数対の補助接点電極の一方は、複数対の補助接点外部端子部の一方を固定し、複数対の補助接点電極の他方は、複数対の補助接点外部端子部の他方に配線で接続され、ケース壁に載置された載置板と、この載置板に設けられて配線の一部を固定する配線固定部と、を備えた弾性体からなる配線保持部を有し、配線保持部は、配線固定部が弾性変形した状態で接点収納ケースに収納されている。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
主接点部と、
この主接点部と連動した補助接点部と、
前記主接点部及び前記補助接点部を収納する接点収納ケースと、
前記主接点部及び前記補助接点部を駆動する電磁石ユニットと、
前記補助接点部の一対の固定接点に接続されてケース壁から外部に突出している複数対の補助接点電極と、
前記ケース壁の一辺に集約されて配置されている複数対の補助接点外部端子部と、
前記接点収納ケースを収納する第１絶縁ケースと、
前記電磁石ユニットを収納する第２絶縁ケースと、を備え、
前記複数対の補助接点電極の一方は、前記複数対の補助接点外部端子部の一方を固定し、
前記複数対の補助接点電極の他方は、前記複数対の補助接点外部端子部の他方に配線で接続され、
前記ケース壁に載置された載置板と、この載置板に設けられて前記配線の一部を固定する配線固定部と、を備えた弾性体からなる配線保持部を有し、
前記配線保持部は、前記配線固定部が弾性変形した状態で前記第１絶縁ケースに収納されている電磁接触器。
【請求項２】
前記複数対の補助接点外部端子部は、
端子と、前記補助接点電極とを電気的に接続する配線パターンが形成された配線基板とを有する請求項１に記載の電磁接触器。
【請求項３】
前記電磁石ユニットは電磁石ユニット外部端子部をさらに有し、
前記電磁石ユニット外部端子部は、前記複数対の補助接点外部端子部と同一面上に形成されている請求項１または２に記載の電磁接触器。
【請求項４】
前記電磁石ユニット外部端子部が、前記補助接点外部端子部と共に前記ケース壁の一辺に集約されている請求項３に記載の電磁接触器。
【請求項５】
前記配線固定部は、前記載置板の上面に設けられる凸状部である請求項１乃至４の何れか一項に記載の電磁接触器。
【請求項６】
前記凸状部に保持溝が形成されている請求項５に記載の電磁接触器。
【請求項７】
前記凸状部はＬ字型である請求項５に記載の電磁接触器。
【請求項８】
前記凸状部に貫通穴が形成されている請求項５に記載の電磁接触器。
【請求項９】
前記配線固定部は、前記載置板の側面に形成された保持溝である請求項１乃至４の何れか一項に記載の電磁接触器。
【請求項１０】
前記配線固定部は、前記載置板の下面に形成された保持溝である請求項１乃至４の何れか一項に記載の電磁接触器。
【請求項１１】
前記ケース壁の中央で突出している前記主接点部の主接点側固定接触子及び前記補助接点外部端子部の間、または、前記主接点側固定接触子及び前記配線の間に隔壁を有する請求項１乃至１０の何れか一項に記載の電磁接触器。
【請求項１２】
前記隔壁は、前記配線保持部に設けられる請求項１１に記載の電磁接触器。
【手続補正２】
【補正対象書類名】明細書
【補正対象項目名】０００６
【補正方法】変更
【補正の内容】
【０００６】
上記目的を達成するために、本発明の一態様に係る電磁接触器は、主接点部と、この主接点部と連動した補助接点部と、主接点部及び補助接点部を収納する接点収納ケースと、主接点部及び補助接点部を駆動する電磁石ユニットと、補助接点部の一対の固定接点に接続されてケース壁から外部に突出している複数対の補助接点電極と、ケース壁の一辺に集約されて配置されている複数対の補助接点外部端子部と、接点収納ケースを収納する第１絶縁ケースと、電磁石ユニットを収納する第２絶縁ケースと、を備え、複数対の補助接点電極の一方は、複数対の補助接点外部端子部の一方を固定し、複数対の補助接点電極の他方は、複数対の補助接点外部端子部の他方に配線で接続され、ケース壁に載置された載置板と、この載置板に設けられて配線の一部を固定する配線固定部と、を備えた弾性体からなる配線保持部を有し、配線保持部は、配線固定部が弾性変形した状態で第１絶縁ケースに収納されている。